(57)【要約】【課題】  一つの駆動軸でルーパーとハサミとを駆動可能にして、機構を簡素化することができる横編機の編糸保持切断装置を提供する。  【解決手段】  （ａ）のようにレバー２７の弧状部２７ｂがルーパー２１のピン２１ｂに当接している状態では、ルーパー２１は下降している状態を続ける停留区間となる。駆動軸１２が反時計方向へ回り続けると、ピン２１ｂは係合部２７ａに係合するようになり、さらに駆動軸１２が反時計方向に回り続けると、（ｂ）のように係合部２７ａは係合しているピン２１ｂを介してルーパー２１を押上げる。停留区間で、カム２８の厚み変化部２８ａと径変化部２８ｂとは、回動軸２３の下端に取付けられるアーム部材２４を介してハサミ２２の固定刃２２ａに対して回動刃２２ｂを開閉させる。【選択図】図３
2019173248.tif 000002
【特許請求の範囲】
【請求項１】
上下動可能で、上部に引込みフックを備え、歯口下方から上昇させる引込みフックに、歯口上方から編針に供給される編糸を案内し、引込みフックを下降させる際に編糸を捕捉可能なルーパーと、
固定刃および回動刃を備え、回動刃が上下方向の回動軸回りに回動して、引込みフックで捕捉された編糸を切断するハサミと、
ルーパーおよびハサミを支持する移動支持体と
を備える移動ユニットが牽引機構で針床の長手方向に移動可能な横編機の編糸保持切断装置において、
針床の長手方向に延びるように設けられて移動支持体の移動を案内し、該長手方向回りの回動でルーパーおよびハサミを駆動する駆動軸と、
駆動軸を回動させるように駆動する駆動源と、
移動支持体の移動を案内しながら、駆動軸による駆動に対する移動支持体の回り止めを行う回り止め案内手段と、
駆動軸の回動に従って揺動し、ルーパーを上下動させるレバーと、
駆動軸の回動を上下方向の回動軸回りの回動に変換してハサミの回動刃を回動させるカムとを含み、
レバーは、揺動してもルーパーが下方に留まる停留区間を有し、
カムは、ハサミの回動刃が固定刃に対して開いた状態に留められる停留区間を有し、
ルーパーの停留区間でハサミの回動刃が固定刃に対して開く開動作、および回動刃が固定刃に対して閉じる閉動作が行われ、
ハサミの停留区間でルーパーの上下動が行われる
ことを特徴とする横編機の編糸保持切断装置。
【請求項２】
前記レバーは、
前記ルーパーの下部に係合してルーパーを上下動させる係合部と、
ルーパーを上昇させる揺動方向に係合部から円弧状に続くように形成され、前記停留区間に対応する弧状部と
を有することを特徴とする請求項１記載の横編機の編糸保持切断装置。
【請求項３】
前記回動刃は、前記回動軸の上端に備えられ、
前記カムは、前記針床の長手方向の厚みが変化する厚み変化部と、前記駆動軸の中心からの径が変化する径変化部とを有し、
回動軸の下端には、二つの当接部を有するアーム部材が備えられ、
アーム部材の二つの当接部がカムの厚み変化部と径変化部の表面にそれぞれ当接して、厚みの増加または径の増加のいずれか一方で回動刃が前記固定刃に対して開き、いずれか他方で閉じるように駆動する
ことを特徴とする請求項１または２記載の横編機の編糸保持切断装置。
【請求項４】
前記移動ユニットは、編幅の一方と、編幅の他方とに設けられ、
編幅の一方の移動ユニットの駆動軸と回り止め案内手段は、編幅の他方の移動ユニットではそれぞれ回り止め案内手段と駆動軸となる
ことを特徴とする請求項１から３までのいずれか一つに記載の横編機の編糸保持切断装置。
【発明の詳細な説明】
【技術分野】
【０００１】
本発明は、針床の長手方向に移動して、編針に給糸される編糸を捕捉して切断し、切断後の端糸を保持可能な横編機の編糸保持切断装置に関する。
【背景技術】
【０００２】
従来から手袋を編成する横編機などでは、一つの指を収容する指袋を指先から編出して胴に接続する部分まで編成し、隣接する次の指袋の編成に移る際に、編糸保持切断装置を使用している（たとえば、特許文献１参照）。編糸保持切断装置で針床の長手方向に移動可能な移動ユニットは、ルーパー（昇降杆）とハサミ（切断装置）とを有し、編幅の一方側から、編成した指袋の最後の編目からヤーンフィーダーに延びる編糸にルーパーを作用させる。ルーパーは、上下動可能で、上部に引込みフック（引込み鈎）を備える。ルーパーの作用は、引込みフックに編糸を捕捉させることである。ハサミは、固定刃、回動刃および挟持片を備える。挟持片は、ハサミが切断する前に、編糸を保持可能である。回動刃は、上下方向の回動軸回りに回動して固定刃との間で編糸を切断する。
【０００３】
移動ユニットの移動は、針床の長手方向に架設した二本の案内レールに沿って行われる。二本の案内レールは、丸棒状であり、特許文献１では記載が省略されているけれども、回動してルーパーとハサミとをそれぞれ駆動する駆動軸となっている。移動ユニットを移動させるために、牽引などの機構も設けられる。
【０００４】
手袋の指袋の編成では、股重ねを行うための編目複合杆も併用される。編目複合杆は、編幅の一方側から作用させる（たとえば、特許文献２の編口押え板に関する記載参照）。編目複合杆は、編成した指袋に編幅の一方側で続く次の指袋を、股重ねを有するように編成するために使用される。移動ユニットは、編成した指袋の最後の編目からヤーンフィーダーに延びる編糸を切断して、ヤーンフィーダー側の端糸を端余糸として保持し、次の指袋の編成中に保持を解除して、端余糸を編地に編込む処理を行う。
【先行技術文献】
【特許文献】
【０００５】
【特許文献１】特公昭４８−２４４２１号公報
【特許文献２】特許第３０５３３７６号公報
【発明の概要】
【発明が解決しようとする課題】
【０００６】
特許文献１は、単一の駆動源が横編機で手袋を編成するために必要な複数の装置を機械的に連動して駆動することを前提としている。駆動対象の装置は、編糸保持切断装置および編目複合杆とともに、カムキャリッジや選針ドラムなどを含む。各装置は密接に関連して駆動されるので、仕様変更は困難である。
【０００７】
各装置を分けて駆動すれば、それぞれの制御で仕様変更や動作タイミングの調整等での効率向上も可能になると考えられる。しかしながら、移動ユニットでは、ルーパーとハサミとをそれぞれ駆動軸を介して駆動するために、二つの駆動源が必要となる。
【０００８】
編糸保持切断装置の移動ユニットを編目複合杆と併用する場合、編幅の一方側に、小指を含む四つの指袋を順次編成してから胴部を編成する四本胴仕様の手袋が編成可能である。小指の指袋を後から編成する三本胴仕様の手袋を編成するためには、編幅の他方側にも、移動ユニットおよび編目複合杆を設けておく必要がある。このような二つの移動ユニットを使用する場合、四つの駆動源が必要となり、移動ユニットに駆動力を伝達する駆動軸も四つ必要となり、機構が複雑化し、大きなスペースを占めてしまう。
【０００９】
本発明の目的は、一つの駆動軸で一つの移動ユニットのルーパーとハサミとを駆動可能にして、機構を簡素化することができる横編機の編糸保持切断装置を提供することである。
【課題を解決するための手段】
【００１０】
本発明は、上下動可能で、上部に引込みフックを備え、歯口下方から上昇させる引込みフックに、歯口上方から編針に供給される編糸を案内し、引込みフックを下降させる際に編糸を捕捉可能なルーパーと、
固定刃および回動刃を備え、回動刃が上下方向の回動軸回りに回動して、引込みフックで捕捉された編糸を切断して保持するハサミと、
ルーパーおよびハサミを支持する移動支持体と
を備える移動ユニットが牽引機構で針床の長手方向に移動可能な横編機の編糸保持切断装置において、
針床の長手方向に延びるように設けられて移動支持体の移動を案内し、該長手方向回りの回動でルーパーおよびハサミを駆動する駆動軸と、
駆動軸を回動させるように駆動する駆動源と、
移動支持体の移動を案内しながら、駆動軸による駆動に対する移動支持体の回り止めを行う回り止め案内手段と、
駆動軸の回動に従って揺動し、ルーパーを上下動させるレバーと、
駆動軸の回動を上下方向の回動軸回りの回動に変換してハサミの回動刃を回動させるカムとを含み、
レバーは、揺動してもルーパーが下方に留まる停留区間を有し、
カムは、ハサミの回動刃が固定刃に対して開いた状態に留められる停留区間を有し、
ルーパーの停留区間でハサミの回動刃が固定刃に対して開く開動作、および回動刃が固定刃に対して閉じる閉動作が行われ、
ハサミの停留区間でルーパーの上下動が行われる
ことを特徴とする横編機の編糸保持切断装置である。
【００１１】
また本発明で、前記レバーは、
前記ルーパーの下部に係合してルーパーを上下動させる係合部と、
ルーパーを上昇させる揺動方向に係合部から円弧状に続くように形成され、前記ルーパーの停留区間に対応する弧状部と
を有することを特徴とする。
【００１２】
また本発明で、前記回動刃は、前記回動軸の上端に備えられ、
前記カムは、前記針床の長手方向の厚みが変化する厚み変化部と、前記駆動軸の中心からの径が変化する径変化部とを有し、
回動軸の下端には、二つの当接部を有するアーム部材が備えられ、
アーム部材の二つの当接部がカムの厚み変化部と径変化部の表面にそれぞれ当接して、厚みの増加または径の増加のいずれか一方で回動刃が固定刃に対して開き、いずれか他方で閉じるように駆動する
ことを特徴とする。
【００１３】
また本発明で、前記移動ユニットは、編幅の一方と、編幅の他方とに設けられ、
編幅の一方の移動ユニットの駆動軸と回り止め案内手段は、編幅の他方の移動ユニットではそれぞれ回り止め案内手段と駆動軸となる
ことを特徴とする。
【発明の効果】
【００１４】
本発明によれば、針床の長手方向に延びるように設けられて移動支持体の移動を案内する駆動軸は、該長手方向回りの回動でルーパーおよびハサミを駆動する。ルーパーは、駆動軸で揺動させるレバーで上下動させる。ハサミは、駆動軸の回動をカムで上下方向の回動軸回りの回動に変換して、回動刃を回動させる。ルーパーには、下限付近に留まる停留区間を設け、停留区間でハサミの開閉および編糸の保持動作を行わせる。ハサミには、開いた状態に留まる停留区間を設け、停留区間でルーパーを上下動させる動作を行わせる。一つの駆動軸でルーパーとハサミとを駆動可能にして、機構を簡素化する。
【００１５】
また本発明によれば、レバーに設ける弧状部で、ルーパーの停留区間に対応させ、ハサミに動作をさせてもルーパーの動作に影響がないようにすることができる。
【００１６】
また本発明によれば、カムの厚みの増加または径の増加のいずれか一方でハサミの回動刃を固定刃に対して閉じ、いずれか他方で開く動作を行わせることができる。ハサミの回動刃を固定刃に対して閉じることで編糸を保持して切断し、開くことで、保持した編糸の解放や、新たに編糸を捕捉して保持し、切断する準備を行うことができる。
【００１７】
また本発明によれば、二つの駆動源でそれぞれ駆動する二本の駆動軸は、二組の移動ユニットの一方には駆動軸として、他方の移動ユニットには回り止め案内手段として、相互に兼用することができる。二組の移動ユニットを、編成する編地の編幅の一方と他方とに配置するので、編幅の両側で編糸の保持と切断とを独立に行わせることができる。
【図面の簡単な説明】
【００１８】
【図１】図１は、本発明の一実施例として、横編機１の編糸保持切断装置１０に関連する構成を簡略化して示す、横編機１としての左側面図である。
【図２】図２は、図１の移動ユニット１１の主要部分の構成を示す、編糸保持切断装置１０としての平面図、正面図および右側面図である。
【図３】図３は、図２の移動ユニット１１で、ルーパー２１の下降時および上昇時をそれぞれ示す部分的な正面図である。
【図４】図４は、駆動部材２６の形状を示す正面図および切断線Ｂ−Ｂから見た断面図である。
【図５】図５は、図１の横編機１で、編糸保持切断装置１０に関連する構成を、針床２，３を除去した状態で簡略化して示す正面図である。
【図６】図６は、図５に対応する簡略化した平面図である。
【図７】図７は、図５で外フレーム３５を省略して示す簡略化した左側面図である。
【図８】図８は、移動ユニット１１でのルーパー２１およびハサミ２２の動作を示す簡略化した平面図および正面図である。
【発明を実施するための形態】
【００１９】
以下、図１から図８で、本発明の一実施例である横編機１の編糸保持切断装置１０の概略的な構成と動作とについて説明する。説明の便宜上、説明対象の図には記載されていない部分について、他の図に記載される参照符を付して言及する場合がある。また、平面図、正面図、側面図など、相互に関連する図面間でも、一部でのみ部分的に図示し、他では図示を省略する場合がある。
【実施例】
【００２０】
図１は、本発明の一実施例として、横編機１の編糸保持切断装置１０に関連する構成を、横編機１としては左側面図となる状態で示す。横編機１は、前針床２および後針床３を備える。前針床２および後針床３は、図の紙面に垂直な方向となる長手方向に延びる形状を有し、長手方向に沿って多数の編針が配置される。前針床２と後針床３とは、歯口４となる間隙を開けて対向し、歯口４から離れる方向で下降するようにそれぞれ傾斜する。前針床２および後針床３は、長手方向の両側を内フレーム５によって支持されている。以下、前針床２および後針床３を総称して、「針床」と記載する場合もある。長手方向に関して、針床で編針が設けられる範囲が編地を編成可能な編幅となる。図示を省略しているけれども、歯口４の上方には編糸を給糸するヤーンフィーダーなどが配置される。編糸を針床から歯口４に進出する編針のフックに供給させ、編針を歯口４から針床側に退出させることで、編地の編成が行われる。
【００２１】
針床の下方には、編糸保持切断装置１０が設けられている。編糸保持切断装置１０は、針床の長手方向に移動可能な移動ユニット１１を含む。移動ユニット１１の移動は、駆動軸１２および案内軸１３による案内を受け、移動用ラック１４によって駆動される。駆動軸１２と案内軸１３とは、歯口４の中心４ａに対して対称となる位置に配置され、相互間の間隔も針床下方のスペースが許容する範囲で広くとられている。このような駆動軸１２および案内軸１３によって、移動ユニット１１は安定した案内を受けることができる。移動用ラック１４は、長手方向の内フレーム５の外部に設ける移動モーター１５の出力軸に取付けるピニオン１６で駆動する。移動用ラック１４、移動モーター１５およびピニオン１６は、移動ユニット１１に対する移動機構となる。移動機構はこの組合せに限らず、ベルトやワイヤなどで移動ユニット１１を牽引するようにしてもよい。
【００２２】
図２は、編糸保持切断装置１０の主要部分である移動ユニット１１の構成を示す。（ａ）、（ｂ）および（ｃ）は、移動ユニット１１としての平面図、正面図および右側面図である。図１も参照して、移動ユニット１１は、移動支持体２０、ルーパー２１、ハサミ２２、回動軸２３、アーム部材２４、押圧ばね２５および駆動部材２６を含む。移動支持体２０は、駆動軸１２および案内軸１３による移動の案内を、駆動腕２０ａおよび支持腕２０ｂの先端付近でそれぞれ受ける。駆動腕２０ａおよび支持腕２０ｂの中間には、ルーパー２１の上下動を案内する上下案内部２０ｃが設けられる。移動支持体２０の上部には、ハサミ２２を支持するハサミ支持部２０ｄが設けられる。
【００２３】
ルーパー２１は、上下動可能で、上部に引込みフック２１ａを備え、下部には上下動の駆動を受けるピン２１ｂを備える。編成された最後の編目を保持する編針から歯口４の上方のヤーンフィーダーに延びる編糸に対し、ルーパー２１を上昇させると、引込みフック２１ａに編糸を案内することができる。ルーパー２１を下降させる際に、編糸は引込みフック２１ａに捕捉される。ハサミ２２は、固定刃２２ａおよび回動刃２２ｂを備える。回動刃２２ｂは、回動軸２３の上端に取付けられる。回動刃２２ｂが上下方向の回動軸２３回りに回動して、回動刃２２ｂが固定刃２２ａに対して閉じると、引込みフック２１ａで捕捉された編糸を切断する。固定刃２２ａは、ハサミ支持部２０ｄの前端側に、ねじ２０ｅで固定される。回動軸２３の上部は、ハサミ支持部２０ｄに設ける挿通孔を通り、上端がハサミ支持部２０ｄの上端から突出して、上端に回動刃２２ｂが取付けられる。回動軸２３の下端付近にはアーム部材２４が取付けられる。回動軸２３の下部で、ハサミ支持部２０ｄの下端とアーム部材２４の上端との間には、押圧ばね２５が挿入される。押圧ばね２５は、ハサミ支持部２０ｄに対してアーム部材２４を介して回動軸２３を下方に押圧し、回動軸２３の上端に取付けた回動刃２２ｂを固定刃２２ａ側に押圧する。
【００２４】
駆動部材２６は、ルーパー２１およびハサミ２２の駆動のために、レバー２７およびカム２８が一体的に形成されている。レバー２７は、駆動軸１２の回動に従って揺動し、ルーパー２１を上下動させる。案内軸１３は移動ユニット１１の移動に対する案内とともに、駆動軸１２の回動に対する移動ユニット１１の回り止めを行うので、回り止め案内手段として機能する。カム２８は、駆動軸１２の回動を上下方向の回動軸２３回りの回動に変換してハサミ２２の回動刃２２ｂを回動させる。したがって、駆動軸１２は、移動支持体２０の移動を案内するばかりではなく、長手方向回りの回動でルーパー２１およびハサミ２２を駆動する機能も有する。このため、駆動軸１２にはキー溝を形成しておき、駆動軸１２と駆動部材２６との間にはキー２９を設け、駆動軸１２の回動を確実に駆動部材２６に伝達させる。なお、レバー２７とカム２８とは、別個の部品として形成し、組合せて使用するようにしてもよい。また、回動軸２３と回動刃２２ｂやアーム部材２４を一体化してもよい。
【００２５】
図２の（ａ）では省略し、（ｂ）および（ｃ）に示すように，ハサミ２２の上には、編糸保持ばね３０を設ける。編糸保持ばね３０は、上板３０ａ、中板３０ｂおよび下板３０ｃを有する。上板３０ａおよび下板３０ｃは、固定刃２２ａとともに、ねじ２０ｅで固定される。中板３０ｂは、回動軸２３の上端に固定され、回動刃２２ｂとともに回動する。中板３０ｂは、編糸を上板３０ａと下板３０ｃとの間に押込んで保持する。このような編糸保持ばね３０による編糸の保持は、ルーパー２１の引込みフック２１ａが捕捉した編糸を、回動刃２２ｂが固定刃２２ａに対して閉じて切断する直前に行われる。したがって、編糸が切断されると、編糸で歯口４の上方のヤーンフィーダーに続く部分の先端は、編糸保持ばね３０によって保持されるようになる。
【００２６】
特許文献１のように、手袋の指袋を順次編成する場合、一つの指袋の編成後に、編糸をハサミ２２で切断して端余糸を編糸保持ばね３０で保持しながら、次の指袋を編成する。図示を省略しているけれども、移動支持体２０は、横編機１の内フレーム５の外部などから、圧縮空気の供給を受け、ハサミ２２で固定刃２２ａと回動刃２２ｂとが開く部分付近に吹出す流路も設けられている。編糸保持ばね３０で保持されている端余糸は、次の指袋の編成中に保持を解放され、空気の噴出による案内で編成中の編地に編込まれる。
【００２７】
図３は、図２の移動ユニット１１の主要部材について、ルーパー２１の下降時を（ａ）、上昇時を（ｂ）でそれぞれ示す。移動支持体２０や押圧ばね２５の図示は省略する。駆動部材２６のレバー２７は、係合部２７ａと弧状部２７ｂとを有する。係合部２７ａは、ルーパー２１の下部に設けるピン２１ｂに係合してルーパー２１を上下動させる。弧状部２７ｂは、ピン２１ｂとの係合時にルーパー２１を上昇させるレバー２７の揺動方向に、係合部２７ａから円弧状に続く。なお、ピン２１ｂは、ローラー、またはルーパー２１に一体的に設ける突起などでもよく、係合部２７ａと係合可能であればよい。
【００２８】
図３（ａ）に示す状態から、駆動軸１２が図面の反時計回り方向に回る場合を想定する。（ａ）のようにレバー２７の弧状部２７ｂがルーパー２１のピン２１ｂに当接している状態では、ルーパー２１は下降している状態を続ける。駆動軸１２が反時計方向へ回り続けると、ピン２１ｂは係合部２７ａに係合するようになり、さらに駆動軸１２が反時計方向に回り続けると、係合部２７ａは係合しているピン２１ｂを介してルーパー２１を押上げる。図３（ｂ）は、レバー２７がルーパー２１を上限まで押上げた状態を示す。この状態では、図１に一点鎖線で示すように、ルーパー２１の引込みフック２１ａは歯口４から上方に突出する。引込みフック２１ａは、ヤーンフィーダーから供給されて編針のフックに延びる編糸よりも高い位置に上昇させることで、編糸を引込みフック２１ａの下方に案内することができる。
【００２９】
図４は、駆動部材２６の形状を、（ａ）で正面図として、（ｂ）で（ａ）の切断線Ｂ−Ｂから見た断面図として示す。レバー２７の弧状部２７ｂでは、駆動軸１２が挿通される挿通孔の中心２６ｃからの径２７ｒが一定となり、ルーパー２１は下降した位置を保つので、弧状部２７ｂはルーパー２１の停留区間に対応する。カム２８は針床の長手方向についての厚み２８ｔが変化する厚み変化部２８ａと、中心２６ｃからの径２８ｒが変化する径変化部２８ｂとを有する。厚み変化部２８ａで厚み２８ｔが薄くなる側には、最も薄い厚みで一定となる薄フラット区間２８ｃが設けられる。薄フラット区間２８ｃには厚み２８ｔが増大する傾斜区間２８ｄが続き、さらに最も厚い厚みで一定となる厚フラット区間２８ｅに続く。径変化部２８ｂで径２８ｒが大きくなる側には、最も大きい径２８ｒで一定となる大径区間２８ｆが設けられる。大径区間２８ｆには、径２８ｒが減少する傾斜区間２８ｇが続き、さらに径２８ｒが小さくなる小径区間２８ｈが設けられる。
【００３０】
図２（ａ）に示すように、アーム部材２４は、当接部２４ａと当接部２４ｂとの二つに分れた腕を有する。カム２８の回動で厚み変化部２８ａの厚み２８ｔが増加すると、アーム部材２４は、回動刃２２ｂが固定刃２２ａに対して閉じる方向に、回動軸２３を駆動する。カム２８の回動で径変化部２８ｂの径２８ｒが増加する傾斜区間２８ｇに当接部２４ｂが当接するようになると、アーム部材２４は、回動刃２２ｂが固定刃２２ａに対して開く方向に、回動軸２３を駆動する。このような、固定刃２２ａに対する回動刃２２ｂの回動によるハサミ２２の開閉は、アーム部材２４およびカム２８の形状の組合せによるものであり、組合せを変えれば、径２８ｒの増加でハサミ２２が閉じ、厚み２８ｔの増加でハサミ２２が開くようにすることもできる。カム２８は、厚み２８ｔの増加または径２８ｒの増加のいずれか一方で回動刃２２ｂが固定刃２２ａに対して開き、いずれか他方で閉じるようにハサミ２２を駆動すればよい。
【００３１】
図５、図６および図７は、編糸保持切断装置１０の構成を、前針床２および後針床３を省略した状態での横編機１としての正面図、平面図および左側面図でそれぞれ示す。図７では、外フレーム３５も省略している。針床の長手方向に関し、内フレーム５間で、駆動軸１２および案内軸１３を支持し、一方側の内フレーム５に駆動モーター３６を取付ける。内フレーム５の外側には、外フレーム３５が間隔をあけて設けられ、他方の外フレーム３５に移動モーター１５が取付けられる。編糸保持切断装置１０の移動ユニット１１は、内フレーム５間を移動可能である。
【００３２】
図７に示すように、駆動モーター３６は、内フレーム５に対して、中心４ａで二分されて駆動軸１２側となる領域に取付けられる。駆動モーター３６の出力軸には歯車３７が取付けられ、中間の歯車３８，３９を介して駆動軸１２に取付けられる扇型の駆動歯車４０が回動するように駆動する。図８で後述するように、駆動軸１２は、９０°程度の角度範囲で回動するので、駆動歯車４０を扇型にして占有スペースの節約を図っている。
【００３３】
針床の長手方向に関し、移動ユニット１１を増設し、二つの移動ユニット１１を別個に動作させることも可能である。図７では、案内軸１３側の領域が空いているけれども、この領域にも、駆動モーター３６等と同様な構成を設けることができる。案内軸１３にキー溝を設けて回動するようにしても、駆動軸１２の駆動を受ける移動ユニット１１の案内には影響しない。すなわち、キー溝を設けた案内軸１３は、増設した移動ユニット１１に対して駆動軸として機能させることができる。この移動ユニット１１に対しては、駆動軸１２が回り止め案内手段として機能する。増設した移動ユニット１１に対して、移動モーター１５などに相当する移動機構を追加することで、二つの移動ユニット１１を同等に使用することができる。
【００３４】
二つの移動ユニット１１を、二つの方向の編目複合杆と併用すれば、三本胴仕様の手袋を編成することができる。また、二つの移動ユニット１１を使用することで、たとえば二色の編糸を使い分けて模様編みを行うような場合にも使用可能となる。二つの移動ユニット１１は、編幅の両側に待機させておく。第１色の編糸を使用して編成している間、第１の移動ユニット１１は、切断保持用に準備しておき、第２色の端糸を第２の移動ユニット１１の編糸保持ばね３０で保持する。第２色の編糸の使用に切替える場合、第１色の編糸を第１の移動ユニット１１で切断保持してから、第２の移動ユニット１１で端糸を保持する第２色の編糸を使用する編成を開始し、編成が進行してから第２色の端糸の保持を解除する。
【００３５】
なお、回り止め案内手段としては、案内軸１３ばかりではなく、他の構成、たとえば移動用ラック１４などで兼用することもできる。また、移動ユニット１１に圧縮空気を供給するパイプを強化して、回り止め案内手段として利用するようにしてもよい。
【００３６】
図８は、移動ユニット１１でのルーパー２１およびハサミ２２の動作を簡略化して示す。（ａ）は、ルーパー２１が下降位置にあり、ハサミ２２の回動刃２２ｂが閉じている状態を示す。ルーパー２１のピン２１ｂはレバー２７の弧状部２７ｂで押えられる。アーム部材２４の当接部２４ａは、カム２８の厚フラット区間２８ｅに当接して、ハサミ２２が閉じる状態を維持する。当接部２４ｂは、小径区間２８ｈに対向する。矢印に示すように駆動軸１２を反時計回りに回すと、レバー２７は弧状部２７ｂがピン２１ｂを抑える状態を続け、ルーパー２１は上昇が規制されて下降した位置を保つ停留区間となる。アーム部材２４は、当接部２４ｂがカム２８の径変化部２８ｂの傾斜区間２８ｇに当接するようになり、径２８ｒの増加に応じ、回動刃２２ｂが固定刃２２ａに対して開くように回動軸２３を回す。当接部２４ａは、厚フラット区間２８ｅに当接する状態から傾斜区間２８ｄに対向する状態に移行する。
【００３７】
（ｂ）は、ルーパー２１が上昇規制された下降位置での停留区間を続け、ハサミ２２の回動刃２２ｂが固定刃２２ａに対して開いた状態を示す。アーム部材２４の当接部２４ａは傾斜区間２８ｄに対向する。（ｂ）から矢印の方向に駆動軸１２が回ると、ピン２１ｂがレバー２７の係合部２７ａと係合して、レバー２７がピン２１ｂを介してルーパー２１を押上げる。ルーパー２１の押上げで、（ｃ）までに、上端の引下げフック２１ａが歯口４の上方に突出するようになり、アーム部材２４は、当接部２４ｂが大径区間２８ｆに当接する状態となり、当接部２４ａが薄いフラット区間２８ｃに対向する。編針のフックからヤーンフィーダーに延びる編糸があれば、ルーパー２１が上昇する過程で、編糸は引下げフック２１ａの下方に案内される。ハサミ２２は、開いた状態に留まり、停留区間となる。
【００３８】
（ｃ）は、ルーパー２１が上昇位置にあり、ハサミ２２が開いている状態を示す。駆動軸１２の反時計回り方向への駆動を停止し、（ｃ）から（ｄ）に示すように、駆動軸１２を時計回り方向に駆動する。ルーパー２１は、ピン２１ｂがレバー２７の係合部２７ａと係合しているので、レバー２７の時計回り方向への揺動とともに下降する。ハサミ２２は、停留区間で開いた状態を保つ。ルーパー２１の上昇時に引下げフック２１ａの下方に案内された編糸は、下降する引下げフック２１ａで捕捉される。（ｄ）に示す状態は、（ｂ）に示す状態と同等である。ただし、引下げフック２１ａが編糸を捕捉している場合は、その点で異なる。
【００３９】
（ｄ）は、ピン２１ｂがレバー２７の係合部２７ａから弧状部２７ｂに移行して係合しなくなり、ルーパー２１は下降位置で停留区間となる状態を示す。駆動軸１２が時計回り方向に回ると、アーム部材２４の当接部２４ａは厚み変化部２８ａの薄フラット区間２８ｃに当接する状態から傾斜区間２８ｄに当接する状態に移行する。ハサミ２２の停留区間は終了し、当接部２４ａが当接する傾斜区間２８ｄで厚みが増加するので、（ｅ）までに回動刃２２ｂが固定刃２２ａに対して閉じ、引下げフック２１ａが捕捉していた編糸を切断する。（ｅ）に示す状態は、（ａ）に示す状態と同等であり、ルーパー２１は下降位置で停留区間となり、ハサミ２２は閉じた状態となる。ルーパー２１は、（ｄ）から（ｅ）の停留区間で、（ａ）から（ｂ）の停留区間と同様に上昇が規制される。
【００４０】
図２（ｂ）（ｃ）に示すように、ハサミ２２の上部には編糸保持ばね３０が設けられ、図８（ｄ）から（ｅ）の間でハサミ２２が閉じて編糸を切断する前に、ヤーンフィーダーに向って延びる編糸を編糸保持ばね３０で保持する。ハサミ２２による切断後は、ヤーンフィーダーから延びる編糸の端糸を編糸保持ばね３０で保持する状態を続ける。編糸保持ばね３０で保持される端糸は、図８（ａ）から（ｂ）でハサミ２２が開く際に、編糸保持ばね３０から解放される。
【００４１】
以上のように、駆動部材２６のレバー２７は、揺動してもルーパー２１が下方に留まる停留区間を有する。カム２８は、ハサミ２２の回動刃２２ｂが固定刃２２ａに対して開いた状態に留められる停留区間を有する。ルーパー２１の停留区間でハサミ２２の回動刃２２ｂが固定刃２２ａに対して開く開動作、および回動刃２２ｂが固定刃２２ａに対して閉じる閉動作が行われ、ハサミ２２の停留区間でルーパー２１の上下動が行われる。
【符号の説明】
【００４２】
１  横編機
２  前針床
３  後針床
４  歯口
１０  編糸保持切断装置
１１  移動ユニット
１２  駆動軸
１３  案内軸
１４  移動用ラック
１５  移動モーター
１６  ピニオン
２０  移動支持体
２１  ルーパー
２１a  引下げフック
２１ｂ  ピン
２２  ハサミ
２２ａ  固定刃
２２ｂ  回動刃
２３  回動軸
２４  アーム部材
２６  駆動部材
２７  レバー
２７ａ  係合部
２７ｂ  弧状部
２８  カム
２８ａ  厚み変化部
２８ｂ  径変化部
３０  編糸保持ばね
３６  駆動モーター
【図１】
2019173248.tif 000003
【図２】
2019173248.tif 000004
【図３】
2019173248.tif 000005
【図４】
2019173248.tif 000006
【図５】
2019173248.tif 000007
【図６】
2019173248.tif 000008
【図７】
2019173248.tif 000009
【図８】
2019173248.tif 000010